(57)【要約】【課題】  ロータリ耕耘装置を持ち上げたとき、弾性カバー部材の左右両端側が耕耘爪に接触したり、耕耘爪に巻き込まれる不都合を解消する。【解決手段】  耕耘爪軸３の上方を覆うロータリカバー５の後端部に、シート状の弾性カバー部材７を吊設したロータリ耕耘装置１において、弾性カバー部材７の上下方向中間位置に、当該弾性カバー部材７の前方への折れ曲がりを抑制する折曲抑制部材１２を設ける。  また、折曲抑制部材１２は、弾性カバー部材７の表裏いずれか一方に取付けるものとし、コストダウンを図る。【選択図】        図３
2006050984.tif 000002
【特許請求の範囲】
【請求項１】
耕耘爪軸の上方を覆うロータリカバーの後端部に、シート状の弾性カバー部材を吊設したロータリ耕耘装置において、前記弾性カバー部材の上下方向中間位置に、当該弾性カバー部材の前方への折れ曲がりを抑制する折曲抑制部材を取付けたことを特徴とするロータリ耕耘装置。
【請求項２】
前記折曲抑制部材は、前記弾性カバー部材の表裏いずれか一方に取付けられることを特徴とする請求項１記載のロータリ耕耘装置。
【発明の詳細な説明】
【技術分野】
【０００１】
本発明は、歩行型耕耘機などに設けられるロータリ耕耘装置に係り、特に、ロータリカバーの後端部に、シート状の弾性カバー部材を吊設したロータリ耕耘装置に関する。
【背景技術】
【０００２】
耕耘爪軸の上方を覆うロータリカバーの後端部に、シート状の弾性カバー部材を吊設したロータリ耕耘装置が知られている（例えば、特許文献１参照。）。この種の弾性カバー部材は、硬質の板材で構成されるカバー部材に比べ、コスト的に有利なだけでなく、アタッチメントの装着に際し、容易に捲り上げられるという利点がある。
【特許文献１】実開昭５７−８２１０２号公報
【発明の開示】
【発明が解決しようとする課題】
【０００３】
しかしながら、上記のように設けられた弾性カバー部材は、ロータリ耕耘装置を持ち上げたとき、左右両端側が前方に折れ曲がって耕耘爪に接触したり、耕耘爪に巻き込まれる可能性があった。
【課題を解決するための手段】
【０００４】
本発明は、上記の如き実情に鑑みこれらの課題を解決することを目的として創作されたものであって、耕耘爪軸の上方を覆うロータリカバーの後端部に、シート状の弾性カバー部材を吊設したロータリ耕耘装置において、前記弾性カバー部材の上下方向中間位置に、当該弾性カバー部材の前方への折れ曲がりを抑制する折曲抑制部材を取付けたことを特徴とする。このようにすれば、ロータリ耕耘装置を持ち上げても、弾性カバー部材の前方への折れ曲がりが抑制されるので、弾性カバー部材の左右両端側が耕耘爪に接触したり、耕耘爪に巻き込まれる不都合を解消することができる。
また、前記折曲抑制部材は、前記弾性カバー部材の表裏いずれか一方に取付けられることを特徴とする。このようにすれば、折曲抑制部材を弾性カバー部材の表裏両方に取付ける場合に比べ、コストダウンを図ることができる。
【発明を実施するための最良の形態】
【０００５】
次に、本発明の実施形態について、図面に基づいて説明する。図１〜図３において、１は歩行型耕耘機に設けられるロータリ耕耘装置であって、該ロータリ耕耘装置１は、センターケース（ミッションケース）２と、該センターケース２から左右に突出する耕耘爪軸３と、該耕耘爪軸３に装着される複数の耕耘爪４と、耕耘爪軸３の上方を覆う側面視円弧状のロータリカバー５と、該ロータリカバー５の左右両端部に設けられ、耕耘爪軸３の側方を覆うサイドカバー６と、ロータリカバー５の後端部に吊設されるシート状の弾性カバー部材７と、ロータリ耕耘装置１の耕耘深さを規定する尾輪８とを備えて構成されている。
【０００６】
弾性カバー部材７は、弾性（可撓性）を有するゴムシートなどを用いて形成されており、その上端部は、ロータリカバー５の後端部と、ここにボルト固定される固定板９とによって挟持状に支持されている。このように設けられた弾性カバー部材７は、耕耘爪軸３の後方を覆うことにより、耕耘土の後方への飛散を防止することができ、また、硬質の板材で構成されるカバー部材に比べ、コスト的に有利なだけでなく、アタッチメントの装着に際し、容易に捲り上げられるという利点がある。
【０００７】
尾輪８は、ロータリカバー５の後端部中央から下方に突出する伸縮ロッド１０の下端部に回転自在に設けられている。伸縮ロッド１０の上端部には、高さ調節ハンドル１１が設けられており、この高さ調節ハンドル１１を回し操作することにより、伸縮ロッド１０が伸縮し、尾輪８の高さが調節される。
【０００８】
弾性カバー部材７は、尾輪８の後方に吊設されているため、通常は、尾輪８との接当により前方への揺動が規制され、耕耘爪４に接触することはないが、ロータリ耕耘装置１を持ち上げたり前傾させた場合には、弾性カバー部材７の左右両端側が前方に折れ曲がって耕耘爪４に接触したり、耕耘爪４に巻き込まれる可能性があった。
【０００９】
このような問題を解決するために、本発明のロータリ耕耘装置１では、弾性カバー部材７の上下方向中間位置に、当該弾性カバー部材７の前方への折れ曲がりを抑制する折曲抑制部材１２が取付けてある。具体的に説明すると、折曲抑制部材１２は、弾性カバー部材７よりも硬質で、かつ、所定の長さ寸法（好ましくは、弾性カバー部材７の幅寸法と略一致）を有する板状部材や棒状部材で形成され、弾性カバー部材７の上下方向中間位置に左右方向を向いて取付けられる。このようにすれば、ロータリ耕耘装置１を持ち上げても、弾性カバー部材７の左右両端側が前方に折れ曲がることが抑制されるので、弾性カバー部材７が耕耘爪４に接触したり、耕耘爪４に巻き込まれる不都合を解消することができる。
【００１０】
折曲抑制部材１２は、弾性カバー部材７の表裏いずれか一方に取付けることが好ましい。このようにすれば、折曲抑制部材１２を弾性カバー部材７の表裏両方に取付ける場合に比べ、コストダウンを図ることができる。本実施形態では、長尺板材からなる折曲抑制部材１２を、弾性カバー部材７の表面（後面）に沿わせ、これを複数のボルト１３及びナット１４、１５を用いて弾性カバー部材７に固定している。
【００１１】
図４に示すように、ボルト１３は、折曲抑制部材１２及び弾性カバー部材７を後方から貫通しており、ボルト１３に螺合する二つのナット１４、１５を締め込むことにより、折曲抑制部材１２が弾性カバー部材７に固定される。このとき、ボルト１３の頭部１３ａとナット１４の間に隙間を設け、ボルト１３の軸部１３ｂ及び頭部１３ａを後方に突出させている。
【００１２】
一方、弾性カバー部材７の下端部には、係合孔７ａが形成されている。係合孔７ａは、ボルト１３の頭部１３ａよりも大径な丸孔部と、該丸孔部から下方に向かって連続的に形成される長孔部（ボルト１３の頭部１３ａよりも幅狭）とを有する。つまり、弾性カバー部材７の下端側を捲り上げ、係合孔７ａの丸孔部をボルト１３の頭部１３ａに差し込み、その後、係合孔７ａの長孔部をボルト１３の軸部１３ｂに係合させると、弾性カバー部材７の下端側がボルト１３で係合保持され、折畳み状態を維持する。これにより、折曲抑制部材１２のボルト１３を利用して、弾性カバー部材７の高さ調整（長さ調整）を行うことが可能になる。
【００１３】
叙述の如く構成された本実施形態のものは、耕耘爪軸３の上方を覆うロータリカバー５の後端部に、シート状の弾性カバー部材７を吊設したロータリ耕耘装置１であって、弾性カバー部材７の上下方向中間位置に、当該弾性カバー部材７の前方への折れ曲がりを抑制する折曲抑制部材１２が取付けられているので、ロータリ耕耘装置１を持ち上げても、弾性カバー部材７の前方への折れ曲がりが抑制される。これにより、弾性カバー部材７の左右両端側が耕耘爪４に接触したり、耕耘爪４に巻き込まれる不都合を解消することができる。
【００１４】
また、折曲抑制部材１２は、弾性カバー部材７の表裏いずれか一方に取付けられるので、折曲抑制部材１２を弾性カバー部材７の表裏両方に取付ける場合に比べ、コストダウンを図ることができる。
【図面の簡単な説明】
【００１５】
【図１】ロータリ耕耘装置の側面図である。
【図２】ロータリ耕耘装置の要部側面図である。
【図３】ロータリ耕耘装置の要部平面図である。
【図４】弾性カバー部材の要部側面図である。
【符号の説明】
【００１６】
１    ロータリ耕耘装置
３    耕耘爪軸
４    耕耘爪
５    ロータリカバー
６    サイドカバー
７    弾性カバー部材
７ａ  係合孔
８    尾輪
１２  折曲抑制部材
１３  ボルト
【図１】
2006050984.tif 000003
【図２】
2006050984.tif 000004
【図３】
2006050984.tif 000005
【図４】
2006050984.tif 000006